(57)【要約】      （修正有）【課題】まつ毛を整えて長くする効果に加え、化粧を簡単にすることができるマスカラブラシを提供する。【解決手段】容器本体１０と、容器本体に螺合される蓋体１１と、ブラシ棒２０と、マスカラ液が付着するブラシ面２１とにより構成する。また、ブラシ棒とブラシ面は、一体であるとともに、蓋体の内部の底部に固定される。前記ブラシ面の半分には、直径が太い錐状棒部材ａが間隔を空けて配列され、前記ブラシ面の他半分には、直径が細い錐状棒部材ｂが間隔を空けて配列される。【選択図】図１
0003168820.tif 000002
【実用新案登録請求の範囲】
【請求項１】
容器本体と、容器本体に螺合される蓋体と、ブラシ棒と、マスカラ液が付着するブラシ面と、によってなるマスカラブラシであって、
ブラシ棒とブラシ面は、一体であるとともに、蓋体の内部の底部に固定され、
前記ブラシ面の半分には、直径が太い錐状棒部材が間隔を空けて配列され、前記ブラシ面の他半分には、直径が細い錐状棒部材が間隔を空けて配列されることを特徴とするマスカラブラシ。
【請求項２】
ブラシ面の外縁は、末端に近づくにつれて細くなっていくことを特徴とする、請求項１に記載のマスカラブラシ。
【請求項３】
ブラシ面の太い直径の錐状棒部材と、細い直径の錐状棒部材の直径の差は、１から４ｍｍであることを特徴とする、請求項１に記載のマスカラブラシ。
【請求項４】
ブラシ面の異なる太さの直径の錐状棒部材の色は、それぞれ異なることを特徴とする、請求項１に記載のマスカラブラシ。
【請求項５】
ブラシ面の両半分の錐状棒部材は、それぞれ異なる材質からなり、半分の錐状棒部材は、ゴム材質でショア硬度が６０〜９５の間であり、他半分の錐状棒部材は、３０から５０の硬度値であることを特徴とする、請求項１に記載のマスカラブラシ。
【請求項６】
ブラシ面の錐状棒部材は放射状に設けられ、ブラシ面の外観は四角形に近い形状を呈することを特徴とする、請求項１に記載のマスカラブラシ。
【請求項７】
ブラシ面は、ブラシ棒の方向に延伸してブラシ固定部を形成することを特徴とする、請求項１に記載のマスカラブラシ。
【考案の詳細な説明】
【技術分野】
【０００１】
本考案はマスカラブラシに関し、特にブラシ面を異なる材質且つ異なる直径の太さのブラシで構成させることで、まつ毛を整えて長くする効果に加え、化粧を簡単にすることができるマスカラブラシに関する。
【背景技術】
【０００２】
現在一般的に使用されているマスカラブラシのブラシの構造は、同じ長さのブラシを配列してなる。従来の中央の金属線を巻いてなるブラシであるか、一体成型された固定式のブラシであるかに関わらず、いずれの方式のブラシも、同じ太さ、同じ長さのブラシを外側へ放射状に延伸させてなり、そのブラシはマスカラブラシの末端まで配置される。そして、ブラシの外縁面は傾斜状を呈している。以上のように、従来のマスカラブラシは同じ長さのブラシを規則的に設けているため、このマスカラブラシで化粧を行うと、まつ毛全体を整え、マスカラを規則的に塗ることができる。しかしながら、まつ毛を長くする効果に関しては、ブラシに付着したマスカラ液が均一であるため、はっきりとしたまつ毛を長くする効果が生じないため、まつ毛を素早く化粧することができず、まつ毛を長くして美しく化粧する効果も達成することができない。もし、まつ毛をきれいに長くしようとした場合、優れた美容専門家に依頼するしかなく、自分でまつ毛を素早く美しく化粧することは簡単ではない。
【考案の概要】
【考案が解決しようとする課題】
【０００３】
そこで、本考案は、まつ毛を整えて長くする効果に加え、化粧を簡単にすることができるマスカラブラシを提供することを目的とする。
【課題を解決するための手段】
【０００４】
本考案によるマスカラブラシは、容器本体と、容器本体に螺合される蓋体と、ブラシ棒と、マスカラ液が付着するブラシ面とによってなり、ブラシ棒とブラシ面は、一体であるとともに、蓋体の内部の底部に固定される。前記ブラシ面の半分には、直径が太い錐状棒部材が間隔を空けて配列され、前記ブラシ面の他半分には、直径が細い錐状棒部材が間隔を空けて配列される。
【図面の簡単な説明】
【０００５】
【図１】本考案のマスカラブラシを示した分解斜視図である。
【図２】本考案のマスカラブラシのブラシ構造の外観を示した斜視図である。
【図３】本考案のマスカラブラシのブラシ固定部を示した平面図である。
【図４】本考案のマスカラブラシのブラシ面の側面を示した説明図である。
【図５】本考案のブラシに付着したマスカラ液をまつ毛につける動作を示した説明図である。
【図６】まつ毛に付着したマスカラ液を、本考案のブラシで取り除く動作を示した説明図である。
【考案を実施するための形態】
【０００６】
本考案によるマスカラブラシは、まつ毛を整えることができるとともに、化粧を簡単にし、まつ毛を長くする効果がある。本考案によるマスカラブラシを、図１から図６に示す。本考案によるマスカラブラシは、マスカラ液を入れる容器本体１０と、使用後に本体１０の口部に螺合される容器蓋体１１と、ブラシ棒２０と、ブラシ面２１が固定されるブラシ固定部２２とによって構成する。ブラシ固定部２２と、ブラシ面２１が固定されるブラシ固定部２２は、本体１０の内部に完全に収容される。従来技術と比べ、本考案で改良した箇所はブラシ面２１の構造である。ブラシ面２１は、上下、或いは、左右にほぼ半分に分けられ、それぞれ異なる材料を用い、一体成型される。その内、図のａの部分である半分のブラシ面２１は、太い直径の錐状棒部材を放射状に間隔を空けて配列してなる。なお、その硬度値は、３０から５０の間である。また、他半分のｂのブラシ面２１は、滑りにくいゴム材質の細い直径の錐状棒部材からなり、その硬度値は、ショア硬度６０から９５の間に達するほど硬い。この図のａの部分である半分のブラシ面２１と、図のｂの部分である他半分のブラシ面２１とにより、全体として、四角形に近い環状面を形成する。また、端の角に近い箇所のブラシ部分をさらに長くする。以上の構造により、本考案のマスカラブラシを化粧で使用すると、棒部材の異なる直径の太さにより、異なる量のマスカラ液が付着し、マスカラ液が多く付着した側ａのブラシ面２１は、マスカラ液がまつ毛３０につきやすくなる。実際に化粧で使用する際には、図５と図６に示すように、マスカラ液が多く付着した側のブラシによって、まつ毛にマスカラ液をつけた後、ブラシを回転させると、他半分ｂのブラシ面２１により、余分なマスカラを適度に取り除くことができ、それにより、まつ毛を適度に長くし硬くすることができ、美しい化粧を行うことができる。本考案は、一つのマスカラブラシを簡単に回転させて上手に化粧を行うことができるため、まつ毛を化粧する際に便利である。
【０００７】
本考案のマスカラブラシは、マスカラブラシのブラシ面２１を、異なる材質で分けて成型させており、さらに、異なる量のマスカラ液が付着するように異なる太さの直径の錐状棒部材を使用することと、表面のなめらかさにより、異なるマスカラ液付着能力をもたせることに加え、余分なマスカラ液を取り除く効果が生じる。また、材料の色を分けることにより、簡単で明確な表示効果を達成しており、以上の構造のマスカラブラシのブラシ面２１は、特殊な美観効果をもつため、消費者は使用する時に、どこを持つべきか判別しやすくなる。また、本考案のブラシの錐状棒部材の直径は、太い直径の棒部材と、細い直径の棒部材の差は、１ｍｍから４ｍｍの間である。細い直径の側は、付着するマスカラ液の量が少なく、余分なマスカラ液を取り除く効果があり、そして、太い直径の側は、付着するマスカラの量が多く、まつ毛にマスカラ液をつける効果がある。この二つの異なる直径の構造により、直径が太い側でまつ毛にマスカラ液をつけた後に、回転させて、直径が細い側で余分なマスカラ液を取り除くことができ、それにより、まつ毛を長くまっすぐに美しく仕上げる効果がある。また、ブラシの色を分けることにより、明確に表示する効果を達成することができる。特に、ブラシ面２１の末端の外縁は、末端に近づくにつれて細くなっていく構造になっている。この外観は、マスカラブラシを使用する際に安全で便利にするとともに、斬新で美しい特殊な視覚効果を与え、使用者が実際に本考案を操作する際に、簡単に判別することができる効果もある。また、本考案を使用した後、蓋体１１によって、ブラシ固定部２２ごと液体を貯めておく容器本体１０の内部に収容して螺合することができ、それにより、マスカラブラシはしまっておきやすくなる。また、マスカラブラシのブラシ面２１により、マスカラ液がにじむのを防ぎ、まつ毛に余分についたマスカラ液を取り除くため、まつ毛は長く真っすぐなるという効果を達成する。また、化粧の操作を、一つのブラシ面２１を一度回転させるだけで完成させることができるため、マスカラブラシに安全で便利な実用効果を持たせることができる。
【符号の説明】
【０００８】
１０    本体                      
１１    蓋体
２０    ブラシ棒                      
２１    ブラシ面
２２    ブラシ固定部
３０    まつ毛
【図１】
0003168820.tif 000003
【図２】
0003168820.tif 000004
【図３】
0003168820.tif 000005
【図４】
0003168820.tif 000006
【図５】
0003168820.tif 000007
【図６】
0003168820.tif 000008